(57)【要約】【課題】フロー方式による画像撮影により所定の分類毎に分類された有形成分画像を再分類する場合に、分類作業における誤操作の発生を抑制することができる情報処理装置を提供する。【解決手段】情報処理装置１０は、複数種類の有形成分を含み、かつ、フローセルを流れる検体流体を撮影して得られる複数の画像から、有形成分として認識した有形成分画像を切り出し、切り出した有形成分画像を所定の分類毎に検出成分として分類する分類部３０と、分類部３０により検出成分として分類された有形成分画像を、異なる分類に再分類する場合に、検出成分の第１画像リストを表示させた状態で、移動先の分類の選択を受け付け、更に、第１画像リスト及び移動先の第２画像リストを同時に表示させた状態で、第１画像リストから選択された有形成分画像を、第２画像リストに移動させる制御を行う表示制御部３２と、を備える。【選択図】図４
2020085535.tif 000002
【特許請求の範囲】
【請求項１】
複数種類の有形成分を含み、かつ、フローセルを流れる検体流体を撮影して得られる複数の画像から、有形成分として認識した有形成分画像を切り出し、切り出した有形成分画像を所定の分類毎に検出成分として分類する分類部と、
前記分類部により前記検出成分として分類された有形成分画像を、異なる分類に再分類する場合に、前記検出成分の分類に含まれる有形成分画像の第１画像リストを表示部に表示させた状態で、移動先の分類の選択を受け付け、更に、前記第１画像リスト及び前記移動先の分類に含まれる有形成分画像の第２画像リストを前記表示部に同時に表示させた状態で、前記第１画像リストから選択された有形成分画像を、前記第２画像リストに移動させる制御を行う制御部と、
を備えた情報処理装置。
【請求項２】
前記制御部は、前記第１画像リストから前記第２画像リストに移動させた有形成分画像を強調して表示させる制御を更に行う請求項１に記載の情報処理装置。
【請求項３】
前記強調して表示させる制御は、前記有形成分画像を前記第２画像リストの先頭に表示させる制御である請求項２に記載の情報処理装置。
【請求項４】
前記分類は、大項目及び前記大項目を細分化した小項目の少なくとも一方に仕分けられており、
前記制御部は、前記移動先の分類を選択する際に、前記大項目が選択された場合、前記有形成分画像を、前記大項目に含まれる有形成分画像の画像リストに表示させ、前記小項目が選択された場合、前記有形成分画像を、前記小項目に含まれる有形成分画像の画像リストに表示させる制御を更に行う請求項１〜３のいずれか１項に記載の情報処理装置。
【請求項５】
前記小項目は、前記大項目が選択された後に選択可能とされる請求項４に記載の情報処理装置。
【請求項６】
前記制御部は、前記第１画像リストの各有形成分画像に対して、前記フローセルの深さ方向における焦点位置の異なる複数の前記有形成分画像を切り替えて表示させる制御を更に行う請求項１〜５のいずれか１項に記載の情報処理装置。
【請求項７】
前記制御部は、前記分類毎に対応する項目を色分けして表示させる制御を更に行う請求項１〜６のいずれか１項に記載の情報処理装置。
【請求項８】
前記分類部は、前記有形成分画像の分類結果についての適合度を更に算出し、
前記制御部は、前記第１画像リストの有形成分画像を、前記適合度に従って適合順あるいは不適合順に並べて表示させる制御を更に行う請求項１〜７のいずれか１項に記載の情報処理装置。
【請求項９】
前記制御部は、前記分類毎に測定結果を一覧表示させ、前記一覧表示された分類のうち、前記第１画像リストを表示させて有形成分画像の確認を行った分類に対して、確認済みを示すマークを付与する制御を更に行う請求項１〜８のいずれか１項に記載の情報処理装置。
【請求項１０】
前記制御部は、前記第１画像リストを表示させている際に、前記有形成分画像の拡大率を設定する制御を更に行う請求項１〜９のいずれか１項に記載の情報処理装置。
【請求項１１】
前記制御部は、前記第１画像リストを表示させている際に、前記有形成分画像の輝度及びコントラスト比の少なくとも一方を設定する制御を更に行う請求項１〜１０のいずれか１項に記載の情報処理装置。
【請求項１２】
前記分類部によって分類された有形成分画像及び前記有形成分画像の見本画像を記憶する記憶部を更に備え、
前記制御部は、前記分類部により前記検出成分として分類された有形成分画像を、同一の分類の前記見本画像として追加する場合に、前記検出成分の分類に含まれる有形成分画像の有形成分画像リストを前記表示部に表示させた状態で、前記見本画像の表示の指示を受け付け、更に、前記有形成分画像リスト及び前記見本画像の見本画像リストを前記表示部に同時に表示させた状態で、前記有形成分画像リストから選択された有形成分画像を、前記見本画像リストに複写する制御を更に行う請求項１〜１１のいずれか１項に記載の情報処理装置。
【請求項１３】
複数種類の有形成分を含み、かつ、フローセルを流れる検体流体を撮影して得られる複数の画像から、有形成分として認識した有形成分画像を切り出し、切り出した有形成分画像を所定の分類毎に検出成分として分類する分類部と、
前記分類部によって分類された有形成分画像及び前記有形成分画像の見本画像を記憶する記憶部と、
前記分類部により前記検出成分として分類された有形成分画像を、同一の分類の前記見本画像として追加する場合に、前記検出成分の分類に含まれる有形成分画像の有形成分画像リストを表示部に表示させた状態で、前記見本画像の表示の指示を受け付け、更に、前記有形成分画像リスト及び前記見本画像の見本画像リストを前記表示部に同時に表示させた状態で、前記有形成分画像リストから選択された有形成分画像を、前記見本画像リストに複写する制御を行う制御部と、
を備えた情報処理装置。
【請求項１４】
前記制御部は、前記有形成分画像リストから前記見本画像リストに複写した有形成分画像を強調して表示させる制御を更に行う請求項１３に記載の情報処理装置。
【請求項１５】
前記強調して表示させる制御は、前記有形成分画像を前記見本画像リストの先頭に表示させる制御である請求項１４に記載の情報処理装置。
【請求項１６】
前記分類は、大項目及び前記大項目を細分化した小項目の少なくとも一方に仕分けられており、
前記制御部は、前記検出成分の分類を選択する際に、前記大項目が選択された場合、前記有形成分画像を、前記大項目に含まれる有形成分画像の画像リストに表示させ、前記小項目が選択された場合、前記有形成分画像を、前記小項目に含まれる有形成分画像の画像リストに表示させる制御を更に行う請求項１３〜１５のいずれか１項に記載の情報処理装置。
【請求項１７】
前記制御部は、前記有形成分画像リストの各有形成分画像に対して、前記フローセルの深さ方向における焦点位置の異なる複数の前記有形成分画像を切り替えて表示させる制御を更に行う請求項１３〜１６のいずれか１項に記載の情報処理装置。
【請求項１８】
前記制御部は、前記分類毎に対応する項目を色分けして表示させる制御を更に行う請求項１３〜１７のいずれか１項に記載の情報処理装置。
【請求項１９】
前記分類部は、前記有形成分画像の分類結果についての適合度を更に算出し、
前記制御部は、前記有形成分画像リストの有形成分画像を、前記適合度に従って適合順あるいは不適合順に並べて表示させる制御を更に行う請求項１３〜１８のいずれか１項に記載の情報処理装置。
【請求項２０】
前記制御部は、前記有形成分画像リストを表示させている際に、前記有形成分画像の拡大率を設定する制御を更に行う請求項１３〜１９のいずれか１項に記載の情報処理装置。
【請求項２１】
前記制御部は、前記有形成分画像リストを表示させている際に、前記有形成分画像の輝度及びコントラスト比の少なくとも一方を設定する制御を更に行う請求項１３〜２０のいずれか１項に記載の情報処理装置。
【請求項２２】
複数種類の有形成分を含む検体流体及びシース流体が流れるフローセルと、
前記フローセルを流れる検体流体を撮影する撮影部と、
前記撮影部により撮影して得られた複数の画像を制御する、請求項１〜２１のいずれか１項に記載の情報処理装置と、
を備えた測定システム。
【請求項２３】
コンピュータを、請求項１〜２１のいずれか１項に記載の情報処理装置が備える各部として機能させるためのプログラム。
【発明の詳細な説明】
【技術分野】
【０００１】
本発明は、情報処理装置、測定システム、及びプログラムに関する。
【背景技術】
【０００２】
例えば、特許文献１には、粒子を含む流体試料から粒子を分析する方法が記載されている。この方法は、フローセル中に液体試料を流して、粒子が他の粒子と実質的に重なることなく拡大区域にわたって粒子を分布させる段階と、各光学画像が区域の異なる部分を表わすように区域にわたって流体試料の複数の光学的静止画像を形成させる段階と、を含む。また、この方法は、光学的静止画像の各々を粒子の画像を含む電子画像に変換する段階と、粒子の画像を抽出して電子画像を合成する段階と、目視識別特性の階級に応じてある順序で配列した粒子の画像を表示する段階と、を含む。
【先行技術文献】
【特許文献】
【０００３】
【特許文献１】特公平６−４３９４８号公報
【発明の概要】
【発明が解決しようとする課題】
【０００４】
上記特許文献１に記載の技術によれば、粒子画像は大きさ順に表示され、ユーザは特定階級に属さない粒子画像を削除することができる。しかし、削除された粒子画像を、別の特定階級に分類することはしていないため、分類精度の向上が望まれていた。
【０００５】
フロー方式による画像撮影では、フローセル中を流れる試料の画像を撮影し、撮影画像から切り出した有形成分画像を有形成分の種類毎に分類して検査を行う。このとき、自動的に分類された有形成分画像を、検査技師等のユーザが確認し、手動で再分類を行う場合がある。しかしながら、手動での再分類を行う場合であっても、再分類処理に適した表示がなされておらず、ユーザの誤操作によって誤って再分類されてしまう場合があった。
【０００６】
本発明は、上記の点に鑑みてなされたものであり、フロー方式による画像撮影により所定の分類毎に分類された有形成分画像を再分類する場合に、分類作業における誤操作の発生を抑制することができる情報処理装置、測定システム、及びプログラムを提供することを目的とする。
【課題を解決するための手段】
【０００７】
上記目的を達成するために、本発明の第１の態様に係る情報処理装置は、複数種類の有形成分を含み、かつ、フローセルを流れる検体流体を撮影して得られる複数の画像から、有形成分として認識した有形成分画像を切り出し、切り出した有形成分画像を所定の分類毎に検出成分として分類する分類部と、前記分類部により前記検出成分として分類された有形成分画像を、異なる分類に再分類する場合に、前記検出成分の分類に含まれる有形成分画像の第１画像リストを表示部に表示させた状態で、移動先の分類の選択を受け付け、更に、前記第１画像リスト及び前記移動先の分類に含まれる有形成分画像の第２画像リストを前記表示部に同時に表示させた状態で、前記第１画像リストから選択された有形成分画像を、前記第２画像リストに移動させる制御を行う制御部と、を備えている。
【０００８】
また、本発明の第２の態様に係る情報処理装置は、第１の態様において、前記制御部が、前記第１画像リストから前記第２画像リストに移動させた有形成分画像を強調して表示させる制御を更に行う。
【０００９】
また、本発明の第３の態様に係る情報処理装置は、第２の態様において、前記強調して表示させる制御が、前記有形成分画像を前記第２画像リストの先頭に表示させる制御であるとされている。
【００１０】
また、本発明の第４の態様に係る情報処理装置は、第１〜第３のいずれか１の態様において、前記分類が、大項目及び前記大項目を細分化した小項目の少なくとも一方に仕分けられており、前記制御部が、前記移動先の分類を選択する際に、前記大項目が選択された場合、前記有形成分画像を、前記大項目に含まれる有形成分画像の画像リストに表示させ、前記小項目が選択された場合、前記有形成分画像を、前記小項目に含まれる有形成分画像の画像リストに表示させる制御を更に行う。
【００１１】
また、本発明の第５の態様に係る情報処理装置は、第４の態様において、前記小項目が、前記大項目が選択された後に選択可能とされている。
【００１２】
また、本発明の第６の態様に係る情報処理装置は、第１〜第５のいずれか１の態様において、前記制御部が、前記第１画像リストの各有形成分画像に対して、前記フローセルの深さ方向における焦点位置の異なる複数の前記有形成分画像を切り替えて表示させる制御を更に行う。
【００１３】
また、本発明の第７の態様に係る情報処理装置は、第１〜第６のいずれか１の態様において、前記制御部が、前記分類毎に対応する項目を色分けして表示させる制御を更に行う。
【００１４】
また、本発明の第８の態様に係る情報処理装置は、第１〜第７のいずれか１の態様において、前記分類部が、前記有形成分画像の分類結果についての適合度を更に算出し、前記制御部が、前記第１画像リストの有形成分画像を、前記適合度に従って適合順あるいは不適合順に並べて表示させる制御を更に行う。
【００１５】
また、本発明の第９の態様に係る情報処理装置は、第１〜第８のいずれか１の態様において、前記制御部が、前記分類毎に測定結果を一覧表示させ、前記一覧表示された分類のうち、前記第１画像リストを表示させて有形成分画像の確認を行った分類に対して、確認済みを示すマークを付与する制御を更に行う。
【００１６】
また、本発明の第１０の態様に係る情報処理装置は、第１〜第９のいずれか１の態様において、前記制御部が、前記第１画像リストを表示させている際に、前記有形成分画像の拡大率を設定する制御を更に行う。
【００１７】
また、本発明の第１１の態様に係る情報処理装置は、第１〜第１０のいずれか１の態様において、前記制御部が、前記第１画像リストを表示させている際に、前記有形成分画像の輝度及びコントラスト比の少なくとも一方を設定する制御を更に行う。
【００１８】
また、本発明の第１２の態様に係る情報処理装置は、第１〜第１１のいずれか１の態様において、前記分類部によって分類された有形成分画像及び前記有形成分画像の見本画像を記憶する記憶部を更に備え、前記制御部が、前記分類部により前記検出成分として分類された有形成分画像を、同一の分類の前記見本画像として追加する場合に、前記検出成分の分類に含まれる有形成分画像の有形成分画像リストを前記表示部に表示させた状態で、前記見本画像の表示の指示を受け付け、更に、前記有形成分画像リスト及び前記見本画像の見本画像リストを前記表示部に同時に表示させた状態で、前記有形成分画像リストから選択された有形成分画像を、前記見本画像リストに複写する制御を更に行う。
【００１９】
また、本発明の第１３の態様に係る情報処理装置は、複数種類の有形成分を含み、かつ、フローセルを流れる検体流体を撮影して得られる複数の画像から、有形成分として認識した有形成分画像を切り出し、切り出した有形成分画像を所定の分類毎に検出成分として分類する分類部と、前記分類部によって分類された有形成分画像及び前記有形成分画像の見本画像を記憶する記憶部と、前記分類部により前記検出成分として分類された有形成分画像を、同一の分類の前記見本画像として追加する場合に、前記検出成分の分類に含まれる有形成分画像の有形成分画像リストを表示部に表示させた状態で、前記見本画像の表示の指示を受け付け、更に、前記有形成分画像リスト及び前記見本画像の見本画像リストを前記表示部に同時に表示させた状態で、前記有形成分画像リストから選択された有形成分画像を、前記見本画像リストに複写する制御を行う制御部と、を備えている。
【００２０】
また、本発明の第１４の態様に係る情報処理装置は、第１３の態様において、前記制御部が、前記有形成分画像リストから前記見本画像リストに複写した有形成分画像を強調して表示させる制御を更に行う。
【００２１】
また、本発明の第１５の態様に係る情報処理装置は、第１４の態様において、前記強調して表示させる制御が、前記有形成分画像を前記見本画像リストの先頭に表示させる制御であるとされている。
【００２２】
また、本発明の第１６の態様に係る情報処理装置は、第１３〜第１５のいずれか１の態様において、前記分類が、大項目及び前記大項目を細分化した小項目の少なくとも一方に仕分けられており、前記制御部が、前記検出成分の分類を選択する際に、前記大項目が選択された場合、前記有形成分画像を、前記大項目に含まれる有形成分画像の画像リストに表示させ、前記小項目が選択された場合、前記有形成分画像を、前記小項目に含まれる有形成分画像の画像リストに表示させる制御を更に行う。
【００２３】
また、本発明の第１７の態様に係る情報処理装置は、第１３〜第１６のいずれか１の態様において、前記制御部が、前記有形成分画像リストの各有形成分画像に対して、前記フローセルの深さ方向における焦点位置の異なる複数の前記有形成分画像を切り替えて表示させる制御を更に行う。
【００２４】
また、本発明の第１８の態様に係る情報処理装置は、第１３〜第１７のいずれか１の態様において、前記制御部が、前記分類毎に対応する項目を色分けして表示させる制御を更に行う。
【００２５】
また、本発明の第１９の態様に係る情報処理装置は、第１３〜第１８のいずれか１の態様において、前記分類部が、前記有形成分画像の分類結果についての適合度を更に算出し、前記制御部が、前記有形成分画像リストの有形成分画像を、前記適合度に従って適合順あるいは不適合順に並べて表示させる制御を更に行う。
【００２６】
また、本発明の第２０の態様に係る情報処理装置は、第１３〜第１９のいずれか１の態様において、前記制御部が、前記有形成分画像リストを表示させている際に、前記有形成分画像の拡大率を設定する制御を更に行う。
【００２７】
また、本発明の第２１の態様に係る情報処理装置は、第１３〜第２０のいずれか１の態様において、前記制御部が、前記有形成分画像リストを表示させている際に、前記有形成分画像の輝度及びコントラスト比の少なくとも一方を設定する制御を更に行う。
【００２８】
一方、上記目的を達成するために、本発明の第２２の態様に係る測定システムは、複数種類の有形成分を含む検体流体及びシース流体が流れるフローセルと、前記フローセルを流れる検体流体を撮影する撮影部と、前記撮影部により撮影して得られた複数の画像を制御する、第１〜第２１のいずれか１の態様における情報処理装置と、を備えている。
【００２９】
更に、上記目的を達成するために、本発明の第２３の態様に係るプログラムは、コンピュータを、第１〜第２１のいずれか１の態様に係る情報処理装置が備える各部として機能させる。
【発明の効果】
【００３０】
以上説明したように、フロー方式による画像撮影により所定の分類毎に分類された有形成分画像を再分類する場合に、分類作業における誤操作の発生を抑制することができる、という効果が得られる。
【図面の簡単な説明】
【００３１】
【図１】第１の実施形態に係る測定システムの構成の一部を示す斜視図である。
【図２】第１の実施形態に係る測定システムの構成の一例を示す模式図である。
【図３】第１の実施形態に係る情報処理装置の電気的な構成の一例を示すブロック図である。
【図４】第１の実施形態に係る情報処理装置の機能的な構成の一例を示すブロック図である。
【図５】第１の実施形態に係る画像分類処理プログラムによる処理の流れの一例を示すフローチャートである。
【図６】第１の実施形態に係る測定結果画面の一例を示す正面図である。
【図７】第１の実施形態に係る有形成分画像リスト画面の一例を示す正面図である。
【図８】第１の実施形態に係る再分類作業画面の一例を示す正面図である。
【図９】（Ａ）は、第１の実施形態に係る焦点位置が上層の場合の再分類作業画面の一例を示す正面図である。（Ｂ）は、第１の実施形態に係る焦点位置が中層の場合の再分類作業画面の一例を示す正面図である。（Ｃ）は、第１の実施形態に係る焦点位置が下層の場合の再分類作業画面の一例を示す正面図である。
【図１０】第１の実施形態に係る画質調整の前後における再分類作業画面の一例を示す正面図である。
【図１１】第１の実施形態に係る画像拡大の前後における再分類作業画面の一例を示す正面図である。
【図１２】第２の実施形態に係る画像分類処理プログラムによる処理の流れの一例を示すフローチャートである。
【図１３】第２の実施形態に係る見本作業画面の一例を示す正面図である。
【図１４】第２の実施形態に係る見本作業画面の他の例を示す正面図である。
【発明を実施するための形態】
【００３２】
以下、図面を参照して、本発明を実施するための形態の一例について詳細に説明する。
【００３３】
[第１の実施形態]
図１は、第１の実施形態に係る測定システム７０の構成の一部を示す斜視図である。
図１に示すように、本実施形態に係る測定システム７０は、フローセル４０と、筐体７２と、カメラ７４と、光源７６と、を備えている。なお、図１に示す矢印ＵＰは、測定システム７０の上下方向の上側を示している。
【００３４】
本実施形態に係るフローセル４０は、例えば、シース流体と共に、検体流体の一例である尿検体を導入することで、尿検体中の有形成分をカメラ７４により撮影し、撮影された画像の有形成分の形状等から各種の分析を行う尿中有形成分検査（尿沈渣検査）に適用するものである。このカメラ７４は、撮影部の一例である。尿検体中には、複数種類の有形成分が含まれている。この有形成分の種類としては、一例として、赤血球、白血球、上皮細胞、円柱、細菌等が挙げられる。なお、本実施形態においては、検体流体の一例として、尿検体を用いて、尿中有形成分検査を行う場合について説明するが、血液、細胞、体液等を対象とした有形成分検査に使用することも可能である。
【００３５】
測定システム７０は、フローセル４０が配置される筐体７２を備えている。筐体７２には、フローセル４０が挿入される凹部７２Ａが形成されており、筐体７２の凹部７２Ａを含む位置は、透明な部材（一例としてガラス等）で形成されている。筐体７２の内部には、フローセル４０と対向する位置にカメラ７４が設けられている。筐体７２の上側には、カメラ７４とフローセル４０を挟んで対向する位置に光源７６が設けられている。カメラ７４は、フローセル４０を流れる検体流体を撮影可能な位置に配置されている。
【００３６】
測定システム７０は、フローセル４０内の検体流路（図示省略）の検体取入口４２に検体流体を供給する第１供給装置７８を備えている。第１供給装置７８は、検体取入口４２に一端部が接続される供給管８０と、供給管８０の途中に設けられたポンプ８２と、供給管８０の他端部に接続されると共に検体流体が貯留される検体貯留部８４と、を備えている。
【００３７】
測定システム７０は、フローセル４０内のシース流路（図示省略）のシース取入口４４にシース流体を供給する第２供給装置８６を備えている。第２供給装置８６は、シース取入口４４に一端部が接続される供給管８８と、供給管８８の途中に設けられたポンプ９０と、供給管８８の他端部に接続されると共にシース流体が貯留されるタンク９２と、を備えている。
【００３８】
また、フローセル４０には、検体取入口４２とシース取入口４４との間に排出口４６が設けられている。排出口４６には、排出管（図示省略）の一端部が接続されており、この排出管の他端部が廃棄タンク（図示省略）に接続されている。フローセル４０は、検体取入口４２から導入された検体と、シース取入口４４から導入されたシース液とを合流させる合流部（図示省略）を備え、合流した流体が流路内を流れる。流路内には流路の高さが徐々に小さくなるテーパー部が形成されている。そのため、検体がシース液と合流した後であっても、検体はシース液中に拡散することなく、扁平状に局在化して流れる。局在化した検体流中の有形成分をカメラ７４で撮影する。
【００３９】
図２は、第１の実施形態に係る測定システム７０の構成の一例を示す模式図である。
図２に示すように、本実施形態に係る測定システム７０は、情報処理装置１０を備えている。なお、図２に示す矢印ＵＰは、図１と同様に、測定システム７０の上下方向の上側を示している。
【００４０】
情報処理装置１０は、カメラ７４、光源７６と電気的に接続された光源作動部７７、ポンプ８２、及びポンプ９０の動作をそれぞれ制御する制御装置としての機能を有している。情報処理装置１０は、パルス信号を光源作動部７７に与えることで光源７６を所定の間隔で発光させる。また、情報処理装置１０は、ポンプ８２を駆動させて、検体流体の流量を制御すると共に、ポンプ９０を駆動させて、シース流体の流量を制御する。図示は省略しているが、複数のカメラ７４と、各々のカメラ７４に光を導く光学系を備えていてもよい。各光学系は各カメラ７４がフローセル４０中において異なる位置（深さ）に焦点が合うように調整されている。言い換えると、複数のカメラ７４によって、水平面では同じ位置で、異なる深さ位置に焦点があった複数の画像を同時に撮影している。同時に撮影した撮影画像は、対応付けて記憶部１４に記憶される。ここでいう深さ方向とは、検体流体の流れる方向に対して垂直な方向であり、図２でいう上下方向を意味する。各焦点とフローセル４０のカメラ７４に近い側の壁面までの距離が異なる。
【００４１】
図３は、第１の実施形態に係る情報処理装置１０の電気的な構成の一例を示すブロック図である。
図３に示すように、本実施形態に係る情報処理装置１０は、制御部１２と、記憶部１４と、表示部１６と、操作部１８と、通信部２０と、を備えている。
【００４２】
本実施形態に係る情報処理装置１０には、例えば、パーソナルコンピュータ（ＰＣ：Personal Computer）等の汎用的なコンピュータ装置が適用される。なお、情報処理装置１０には、スマートフォン、タブレット端末等の携帯可能なコンピュータ装置を適用してもよい。また、情報処理装置１０は、複数のユニットに分かれていてもよい。例えば、カメラ７４、光源７６、ポンプ８２、ポンプ９０などの測定系を制御するユニットと、カメラ７４で撮影した画像の処理及び解析を行うユニットとを含んで構成されていてもよい。また、情報処理装置１０は、測定システム７０に外部接続されてもよい。
【００４３】
制御部１２は、ＣＰＵ（Central Processing Unit）１２Ａ、ＲＯＭ（Read Only Memory）１２Ｂ、ＲＡＭ（Random Access Memory）１２Ｃ、及び入出力インターフェース（Ｉ／Ｏ）１２Ｄを備えており、これら各部がバスを介して各々接続されている。
【００４４】
Ｉ／Ｏ１２Ｄには、記憶部１４と、表示部１６と、操作部１８と、通信部２０と、を含む各機能部が接続されている。これらの各機能部は、Ｉ／Ｏ１２Ｄを介して、ＣＰＵ１２Ａと相互に通信可能とされる。
【００４５】
制御部１２は、情報処理装置１０の一部の動作を制御するサブ制御部として構成されてもよいし、情報処理装置１０の全体の動作を制御するメイン制御部の一部として構成されてもよい。制御部１２の各ブロックの一部又は全部には、例えば、ＬＳＩ（Large Scale Integration）等の集積回路又はＩＣ（Integrated Circuit）チップセットが用いられる。上記各ブロックに個別の回路を用いてもよいし、一部又は全部を集積した回路を用いてもよい。上記各ブロック同士が一体として設けられてもよいし、一部のブロックが別に設けられてもよい。また、上記各ブロックのそれぞれにおいて、その一部が別に設けられてもよい。制御部１２の集積化には、ＬＳＩに限らず、専用回路又は汎用プロセッサを用いてもよい。
【００４６】
記憶部１４としては、例えば、ＨＤＤ（Hard Disk Drive）、ＳＳＤ（Solid State Drive）、フラッシュメモリ等が用いられる。記憶部１４には、本実施形態に係る画像分類処理を行うための画像分類処理プログラム１４Ａが記憶される。なお、この画像分類処理プログラム１４Ａは、ＲＯＭ１２Ｂに記憶されていてもよい。また、記憶部１４には、画像分類処理に用いる有形成分画像群１４Ｂが記憶されている。なお、記憶部１４は、メモリが外付けされたり、後から増設されたりしてもよい。
【００４７】
画像分類処理プログラム１４Ａは、例えば、情報処理装置１０に予めインストールされていてもよい。画像分類処理プログラム１４Ａは、不揮発性の記憶媒体に記憶して、又はネットワークを介して配布して、情報処理装置１０に適宜インストールしたり、アップグレードしたりすることで実現してもよい。なお、不揮発性の記憶媒体の例としては、ＣＤ-ＲＯＭ（Compact Disc Read Only Memory）、光磁気ディスク、ＨＤＤ、ＤＶＤ-ＲＯＭ（Digital Versatile Disc Read Only Memory）、フラッシュメモリ、メモリカード等が想定される。
【００４８】
表示部１６には、例えば、液晶ディスプレイ（ＬＣＤ:Liquid Crystal Display）や有機ＥＬ（Electro Luminescence）ディスプレイ等が用いられる。表示部１６は、タッチパネルを一体的に有していてもよい。操作部１８には、例えば、キーボードやマウス等の操作入力用のデバイスが設けられている。表示部１６及び操作部１８は、情報処理装置１０のユーザから各種の指示を受け付ける。表示部１６は、ユーザから受け付けた指示に応じて実行された処理の結果や、処理に対する通知等の各種の情報を表示する。
【００４９】
通信部２０は、インターネットや、ＬＡＮ（Local Area Network）、ＷＡＮ（Wide Area Network）等のネットワークに接続されており、画像形成装置や他のＰＣ等の外部機器との間でネットワークを介して通信が可能とされる。
【００５０】
本実施形態に係る情報処理装置１０のＣＰＵ１２Ａは、記憶部１４に記憶されている画像分類処理プログラム１４ＡをＲＡＭ１２Ｃに書き込んで実行することにより、図４に示す各部として機能する。
【００５１】
図４は、第１の実施形態に係る情報処理装置１０の機能的な構成の一例を示すブロック図である。
図４に示すように、本実施形態に係る情報処理装置１０のＣＰＵ１２Ａは、分類部３０及び表示制御部３２として機能する。なお、表示制御部３２は、制御部の一例である。
【００５２】
本実施形態に係る分類部３０は、カメラ７４によりフローセル４０を流れる検体流体を撮影して得られる複数の画像（一例として、３００枚、１０００枚）から、検体流体に含まれる複数種類の有形成分を有形成分画像として切り出し、切り出した有形成分画像を所定の分類（例えば、有形成分の種類、大きさ、形状、核の有無等）毎に分類する。分類部３０により所定の分類毎に分類された有形成分画像は、有形成分画像群１４Ｂとして検体毎に分けて記憶部１４に記憶される。なお、画像から有形成分を認識する方法としては、一例として、機械学習を用いた方法や、パターンマッチングを用いた方法等、各種の公知の技術が適用される。また、有形成分画像群１４Ｂは、有形成分画像群１４Ｂを個々の有形成分画像として説明する場合には、有形成分画像１４Ｂとも称する。
【００５３】
本実施形態に係る表示制御部３２は、分類部３０により検出成分として分類された有形成分画像を有形成分個別画像として表示部１６に表示させる制御を行う。検査技師等の操作者が有形成分個別画像を目視でチェックした際に、分類を手動で変更することができる。このため、表示制御部３２は、操作者が有形成分画像を再分類する場合に、一例として、後述の図８に示すように、検出成分の第１種類に含まれる有形成分画像の第１画像リスト、及び、移動先の第２種類に含まれる有形成分画像の第２画像リストを１つの画面に表示させる制御を行う。第２画像リストに移動した有形成分画像は、第２種類の分類に再分類され、保存される。なお、検出成分とは、カメラ７４により撮影された画像から、有形成分画像として切り出されたいずれかの有形成分である。
【００５４】
本実施形態においては、第１種類と第２種類とは別の分類であり、有形成分画像の分類変更が行われる。この場合、表示制御部３２は、第１種類に分類された第１画像リストを表示させた状態で、移動先の分類の選択を受け付け、更に、第１画像リスト及び移動先である第２種類に分類された第２画像リストを同時に表示させた状態で、第１画像リストから選択された有形成分画像を、第２画像リストに移動させる制御を行う。つまり、この場合、第１画像リストから選択された有形成分画像は、第１画像リストから削除され、第２画像リストに表示される。なお、具体的な画面例については後述する。
【００５５】
次に、図５を参照して、第１の実施形態に係る情報処理装置１０の作用を説明する。
【００５６】
図５は、第１の実施形態に係る画像分類処理プログラム１４Ａによる処理の流れの一例を示すフローチャートである。
【００５７】
まず、情報処理装置１０が測定結果画面の表示の指示を受け付けると、以下に示す各ステップが実行される。なお、本実施形態においては、分類部３０による自動分類の結果として、有形成分画像群１４Ｂが記憶部１４に記憶されている。上記の測定結果画面は、分類部３０による自動分類後に表示される画面である。
【００５８】
図５のステップ１００では、表示制御部３２が、一例として、後述の図６に示す測定結果画面５０を表示させる制御を行う。
【００５９】
ステップ１０２では、表示制御部３２が、ステップ１００で表示された、後述の図６に示す測定結果画面５０から、操作者からの指示に従って、検出成分についての有形成分名を示す分類項目の選択を受け付けたか否かを判定する。分類項目の選択を受け付けたと判定した場合（肯定判定の場合）、ステップ１０４に移行し、分類項目の選択を受け付けていないと判定した場合（否定判定の場合）、ステップ１０２で待機となる。
【００６０】
ステップ１０４では、表示制御部３２が、ステップ１０２で選択を受け付けた分類項目に応じて、一例として、後述の図７に示す有形成分画像リスト画面５１を表示させる制御を行う。
【００６１】
ステップ１０６では、表示制御部３２が、ステップ１０４で表示された、後述の図７に示す有形成分画像リスト画面５１から、操作者からの指示に従って、移動先の有形成分名を示す分類項目の選択を受け付けたか否かを判定する。移動先の有形成分名の選択を受け付けたと判定した場合（肯定判定の場合）、ステップ１０８に移行し、移動先の有形成分名の選択を受け付けていないと判定した場合（否定判定の場合）、ステップ１０６で待機となる。
【００６２】
ステップ１０８では、表示制御部３２が、一例として、後述の図８に示す再分類作業画面５３を表示させる制御を行う。この再分類作業画面５３では、検出成分の第１種類に含まれる有形成分画像の第１画像リスト、及び、移動先の第２種類に含まれる有形成分画像の第２画像リストが１つの画面に表示される。本実施形態では、第１画像リストと第２画像リストとが同一検体の測定から取得され、切り出された有形成分画像から構成されるが、第１種類と第２種類とは別の分類の有形成分である。
【００６３】
ステップ１１０では、表示制御部３２が、操作者からの指示に従って、ステップ１０８で表示されている第１画像リストから、分類変更の対象とする、１つの有形成分画像の選択を受け付ける。
【００６４】
ステップ１１２では、表示制御部３２が、ステップ１１０で選択された有形成分画像を第１画像リストから削除し、ステップ１０８で表示されている第２画像リストに表示させる制御、すなわち、第１画像リストから選択された有形成分画像を第２画像リストに移動させる制御を行う。
【００６５】
ステップ１１４では、表示制御部３２が、ステップ１０８で表示されている第１画像リストについての分類変更の確認が終了したか否かを判定する。分類変更の確認が終了していないと判定した場合（否定判定の場合）、ステップ１１０に戻り処理を繰り返す。一方、分類変更の確認が終了したと判定した場合（肯定判定の場合）、本画像分類処理プログラム１４Ａによる一連の処理を終了する。
【００６６】
次に、図６〜図１１を参照して、本実施形態に係る画像再分類処理における具体的な画面例を説明する。
【００６７】
図６は、第１の実施形態に係る測定結果画面５０の一例を示す正面図である。
図６に示すように、本実施形態に係る測定結果画面５０は、項目毎の測定結果の一覧を表示している。測定結果としては、有形成分名と、その成分の含有量又は含有個数や、含有量の指標となる定性表示等が示される。また、測定結果画面５０には、有形成分名５０Ａ及び有形成分ボタン５０Ｂが設けられている。
【００６８】
図６に示す項目のうち、主要な項目として、例えば、ＲＢＣは赤血球、ＷＢＣは白血球、ＮＳＥは非扁平上皮細胞、ＳＱＥＣは扁平上皮細胞、ＮＨＣはその他円柱、ＢＡＣＴは細菌を各々示している。また、ＣＲＹＳは結晶、ＹＳＴは酵母、ＨＹＳＴは硝子円柱、ＭＵＣＳは粘液糸、ＳＰＲＭは精子、ＷＢＣＣは白血球塊を各々示している。
【００６９】
ここで、表示制御部３２は、測定結果画面５０において、分類項目の中から選択した分類の第１画像リストを表示させて有形成分画像の確認を行った分類に対して、確認済みを示すマークを付与する制御を行う。図６に示す測定結果画面５０では、分類項目のうち、第１画像リストの確認を行った項目に対して、確認済みを示すマーク５０Ｃが付与されている。なお、再分類（分類変更）が行われた場合には、その結果が反映された測定結果が表示される。
【００７０】
このように、一度有形成分画像を確認した項目にはマークが付与されるため、確認漏れの発生を抑制することができる。
【００７１】
図６に示す測定結果画面５０において、有形成分名５０Ａ又は有形成分ボタン５０Ｂがクリック操作等により選択されると、選択された分類項目の有形成分個別画像が、一例として、図７に示す有形成分画像リスト画面５１として表示される。
【００７２】
図７は、第１の実施形態に係る有形成分画像リスト画面５１の一例を示す正面図である。
図７に示すように、本実施形態に係る有形成分画像リスト画面５１は、画像を確認したい有形成分として選択された有形成分画像リスト５１Ａを表示している。この有形成分画像リスト画面５１は、表示部１６に表示される。
【００７３】
図７に示す有形成分画像リスト画面５１は、検出成分の第１項目ボタン群５２と、移動先の第２項目ボタン群５３と、を含んでいる。検出成分の第１項目ボタン群５２は、検出成分の種類毎に設けられている。同様に、移動先の第２項目ボタン群５３は、移動先の分類項目毎に設けられている。一例として、上述したように、「ＲＢＣ」は赤血球を示し、「ＷＢＣ」は白血球を示し、「ＳＱＥＣ」は扁平上皮細胞を示している。なお、図７に示す例では、検出成分の第１項目ボタン群５２の「ＳＱＥＣ」が選択された状態であるため、有形成分画像リスト画面５１には、扁平上皮細胞の画像のリストが表示されている。
【００７４】
また、図７に示す有形成分画像リスト画面５１は、複数の操作ボタンＢ１〜Ｂ６を操作可能に表示している。操作ボタンＢ１は、有形成分画像を拡大表示すると共に、画像の拡大に合わせてスケール（長さ）を表示するためのボタンである。図７に示す例では、スケールが１０μｍ／画素として表示されている。また、操作ボタンＢ２は、焦点位置の異なる有形成分画像を切り替えて表示させるためのボタンである。図７に示す例では、フローセル４０中の深さ方向における焦点位置を上層、中層、及び下層の３つの層に対応して切り替え可能とされている。また、操作ボタンＢ３は、検出成分の有形成分画像を移動先に移動させるためのボタンである。また、操作ボタンＢ４は、画像分類の編集作業を１つ前に戻すためのボタンである。また、操作ボタンＢ５は、後述する「見本」となる有形成分画像を表示させるためのボタンである。また、操作ボタンＢ６は、有形成分画像の拡大率を設定したり、有形成分画像の輝度やコントラスト比等を設定したりするウィンドウを表示させるためのボタンである。
【００７５】
図７に示す複数の操作ボタンＢ１〜Ｂ６を操作することにより、有形成分画像の表示態様を変更することができるため、有形成分の判別が行いやすくなる。なお、各操作ボタンは、タッチパネルである表示部１６に表示されていてもよいし、操作部１８として設けられていてもよい。
【００７６】
図７に示す有形成分画像リスト画面５１において、移動先の第２項目ボタン群５３のうちのいずれかの項目ボタンがクリック操作等により選択されると、一例として、図８の上図に示す再分類作業画面５４が表示される。この再分類作業画面５４では、検出成分の第１画像リストと、移動先の第２画像リストとが１つの画面に表示される。
【００７７】
図８は、第１の実施形態に係る再分類作業画面５４の一例を示す正面図である。
図８に示すように、本実施形態に係る再分類作業画面５４は、検出成分の第１項目ボタン群５２、第１画像リスト５４Ａ、移動先の第２項目ボタン群５３、及び第２画像リスト５４Ｂを表示している。この再分類作業画面５４は、表示部１６に表示される。
【００７８】
図８の上図に示すように、本実施形態に係る再分類作業画面５４では、第１項目ボタン群５２の「ＣＡＯＸ」の項目ボタンが選択操作された結果、「ＣＡＯＸ」に含まれる有形成分画像の第１画像リスト５４Ａが上段に表示されている。また、第２項目ボタン群５３の「ＴＰ０４」の項目ボタンが選択操作された結果、「ＴＰ０４」に含まれる有形成分画像の第２画像リスト５４Ｂが下段に表示されている。
【００７９】
図８の上図において、操作者が、第１画像リスト５４Ａに含まれる有形成分画像５５の分類変更を行うために、有形成分画像５５を選択して操作ボタンＢ３を操作すると、図８の下図に示す再分類作業画面５４に遷移する。なお、選択した有形成分画像５５を第２画像リスト５４Ｂにドラッグアンドドロップする操作を行ってもよい。
【００８０】
図８の下図に示す再分類作業画面５４では、上記で選択された有形成分画像５５が第１画像リスト５４Ａから削除されると共に、第２画像リスト５４Ｂに表示されている。
【００８１】
ここで、表示制御部３２は、第１画像リスト５４Ａから選択された有形成分画像５５を、第２画像リスト５４Ｂに強調して表示させることが望ましい。一例として、図８の下図に示すように、有形成分画像５５を第２画像リスト５４Ｂの先頭に表示させる。あるいは、有形成分画像５５に予め定められたマーク（一例として、星印や丸印等。）を付与するようにしてもよい。更には、有形成分画像５５の外枠を太くしたり、所定の色（一例として、赤色や青色等。）に変更したり、他の画像よりもサイズを大きくして表示してもよい。これにより、移動先に移動した画像を容易に特定することができる。
【００８２】
また、検出成分の第１項目ボタン群５２の各項目ボタン、及び、移動先の第２項目ボタン群５３の各項目ボタンには、各項目について固有のイメージカラーが付与されている。なお、図８に示す例では、イメージカラーの違いをハッチングの違いで示している。具体的には、一例として、「ＲＢＣ」の項目ボタンは赤色、「ＷＢＣ」の項目ボタンは青色、「ＳＱＥＣ」の項目ボタンは緑色で表示される。
【００８３】
このように、各項目について固有のイメージカラーを付与することにより、各項目を視覚的に分かり易く表示することができる。このため、項目の見間違いの発生を抑制することができる。また、検出成分と移動先との関係性が分かりやすくなる、大分類と小分類などのグルーピングが分かりやすくなる、あるいは、検査する上で重要な項目を重点的に表現することができる等の観点からも、見間違いや、誤操作の発生を効果的に抑制することができる。
【００８４】
また、移動先の第２項目ボタン群５３の少なくとも一部の項目については、大項目及び大項目を細分化した小項目の少なくとも一方に仕分けられている。この場合、表示制御部３２は、大項目が選択された場合、有形成分画像５５を、大項目に含まれる有形成分画像の画像リストに表示させ、小項目が選択された場合、有形成分画像５５を、小項目に含まれる有形成分画像の画像リストに表示させる。このように、大項目に対して小項目を設けて、移動先を視覚的に分かり易くすることで操作性を向上させることができる。なお、大項目の有形成分画像に、当該大項目に含まれる小項目の有形成分画像も同時に表示させるようにしてもよい。
【００８５】
図８の上図及び下図に示す例では、１行に２つのボタンが表示されている第２項目ボタン群５３のうち、左側に表示されている「ＣＲＹＳ」から「ＵＮＣＬ」の１０個の項目ボタンが大項目であり、大項目の右側に並んで配置された「ＣＡＯＸ」から「ＵＮＣＸ」の１０個の項目ボタンが小項目である。ここでは、一例として、大項目に複数の小項目が含まれる場合であっても、表示スペースを小さくするために、１つの小項目だけが表示されている。このとき、小項目は、大項目が選択された後に選択されることが望ましい。図８の上図及び下図に示す例では、一例として、小項目である「ＣＡＯＸ」は、大項目である「ＣＲＹＳ」が選択された後に選択可能に表示される。これにより、コンパクトな表示を可能としつつ、選択の間違いを防止することができる。なお、大項目に複数の小項目が含まれる場合には、大項目が選択された後に、大項目に含まれる複数の小項目が展開表示され、選択可能にしてもよい。また、第１項目ボタン群５２について、大項目及び小項目に対応するボタンが表示され、上記と同様の処理が行われてもよい。
【００８６】
また、分類部３０は、有形成分画像を分類する際に、使用している画像認識方法（一例として、パターンマッチング法等）に基づいて適合度を算出する。そして、表示制御部３２は、第１画像リスト５４Ａの有形成分画像を、適合度に従って適合順あるいは不適合順に並べて表示させる。ここでいう適合度とは、認識結果の画像についての分類確度を示し、各分類項目の画像について、正解画像又は予め定めた特徴点と一致する割合が高いほど高い値が付与される。正解画像又は特徴点と完全に一致する場合、適合度は１００％となる。適合順の場合、適合度が高い順に有形成分画像が表示され、不適合順の場合、適合度が低い順に有形成分画像が表示される。すなわち、適合度が比較的低い有形成分画像は、再分類が必要な画像である。有形成分画像を不適合順に並べた場合には、再分類される可能性が高い画像が前に表示されるため、操作者の注目を集めやすくなる。
【００８７】
このように、再分類の必要な有形成分画像をまとめて優先的に表示させることにより、再分類作業における操作性が向上し、確認の負荷を軽減することができる。また、適合度の数値を示したり、適合度が高い（例えば、８０％以上）こと、適合度が低い（例えば、５０％以下）ことを示すマークを付けたり、色分け表示などを行うようにしてもよい。
【００８８】
また、表示制御部３２は、一例として、図９（Ａ）〜図９（Ｃ）に示すように、第１画像リストの各有形成分画像に対して、複数の異なる焦点位置で同時に撮影している場合には、得られた複数の画像を切り替えて表示させてもよい。
【００８９】
図９（Ａ）は、第１の実施形態に係る焦点位置が上層の場合の再分類作業画面５６の一例を示す正面図である。図９（Ｂ）は、第１の実施形態に係る焦点位置が中層の場合の再分類作業画面５６の一例を示す正面図である。図９（Ｃ）は、第１の実施形態に係る焦点位置が下層の場合の再分類作業画面５６の一例を示す正面図である。
【００９０】
図９（Ａ）〜図９（Ｃ）に示すように、本実施形態に係る再分類作業画面５６は、第１画像リスト５６Ａ及び第２画像リスト５６Ｂを表示している。この再分類作業画面５６は、表示部１６に表示される。
【００９１】
図９（Ａ）において、第１画像リスト５６Ａに含まれる３枚の有形成分画像５７Ａは、上層の焦点位置で撮影された画像である。図９（Ｂ）において、第１画像リスト５６Ａに含まれる３枚の有形成分画像５７Ｂは、中層の焦点位置で撮影された画像である。図９（Ｃ）において、第１画像リスト５６Ａに含まれる３枚の有形成分画像５７Ｃは、下層の焦点位置で撮影された画像である。なお、上層は焦点とフローセル４０のカメラ７４に近い側の壁面までの距離が最も短い場合を表し、下層は焦点とフローセル４０のカメラ７４に近い側の壁面までの距離が最も長い場合を表し、中層は焦点とフローセル４０のカメラ７４に近い側の壁面までの距離が上層と下層との間にある場合を表している。また、この焦点位置の異なる画像の切り替えは、操作ボタンＢ２を操作することで行われる。なお、デフォルトでは、中層の焦点位置で撮影された画像が表示される。第１画像リスト５６Ａに含まれる全ての有形成分画像について、または選択した有形成分画像だけについて、焦点位置を切り替えて表示してもよい。
【００９２】
このように、操作者が第１画像リスト５６Ａに含まれる有形成分画像の焦点位置を切り替えて、焦点位置の異なる有形成分画像を表示させながら、第２画像リスト５６Ｂに含まれる有形成分画像と見比べて確認することができる。このため、例えば、核等の内部構造を有する有形成分に対して視認性が向上し、分類の精度が向上する。
【００９３】
また、表示制御部３２は、一例として、図１０に示すように、検出成分の種類毎に有形成分画像の輝度及びコントラスト比の少なくとも一方を設定する制御を行う。
【００９４】
図１０は、第１の実施形態に係る画質調整の前後における再分類作業画面５８の一例を示す正面図である。図１０には、一例として、硝子円柱「ＨＹＡＬ」の第１画像リストを示している。
【００９５】
図１０の上図に示す再分類作業画面５８は、画質調整前の第１画像リスト５８Ａを表示している。一方、図１０の下図に示す再分類作業画面５８は、画質調整後の第１画像リスト５８Ａを表示している。この再分類作業画面５８は、表示部１６に表示される。
【００９６】
図１０に示す操作ボタンＢ６を操作すると、有形成分画像の画質に係る各種パラメータを設定し、かつ、有形成分画像の拡大率を設定するためのウィンドウ（図示省略）が開く。この画質に係る各種パラメータには、一例として、輝度及びコントラスト比の少なくとも一方が含まれている。この操作ボタンＢ６の操作に応じて表示されるウィンドウで設定された画質に係る各種パラメータは、対応する項目に含まれる全ての有形成分画像に適用される。
【００９７】
一例として、図１０の上図に示すように、項目によっては有形成分の構造に起因して画像が見難い場合がある。これに対して、項目毎に有形成分画像の画質を調整することにより、有形成分画像の視認性が向上し、再分類作業の効率化を図ることができる。例えば、硝子円柱や粘液糸、一部の赤血球等のように、凹凸が少なくコントラスト比が低い項目については、他の項目よりもコントラスト比を高くすることで、視認性が向上する。
【００９８】
また、表示制御部３２は、一例として、図１１に示すように、検出成分の種類毎に有形成分画像の拡大率を設定する制御を行う。
【００９９】
図１１は、第１の実施形態に係る画像拡大の前後における再分類作業画面５９の一例を示す正面図である。図１１には、一例として、細菌「ＢＡＣＴ」の第１画像リストを示している。
【０１００】
図１１の上図に示す再分類作業画面５９は、画像拡大前の第１画像リスト５９Ａを表示している。一方、図１１の下図に示す再分類作業画面５９は、画像拡大後の第１画像リスト５９Ａを表示している。この再分類作業画面５９は、表示部１６に表示される。
【０１０１】
図１１に示す操作ボタンＢ６を操作すると、上述したように、有形成分画像の拡大率を設定するためのウィンドウが開く。この操作ボタンＢ６の操作に応じて表示されるウィンドウで設定される拡大率は、対応する項目に含まれる全ての有形成分画像に適用される。
【０１０２】
一例として、図１１の上図に示すように、項目によっては有形成分画像が小さく見難い上に、操作性が良くない場合がある。これに対して、項目毎に有形成分画像の拡大率を設定することにより、有形成分画像の視認性や操作性が向上し、誤操作が減少し、再分類作業の効率化を図ることができる。なお、各操作ボタンＢ１〜Ｂ６は、上段の第１画像リストの下部に設けられている例を示したが、この位置に限定されるものではない。例えば、任意の操作ボタンを、第２画像リストの下部にも設けるようにして、第２画像リストに含まれる有形成分画像の画質調整を行うようにしてもよい。
【０１０３】
以上説明したように本実施形態によれば、フロー方式による画像撮影により所定の分類毎に分類された有形成分画像の分類を変更する場合に、検出成分の有形成分画像と移動先の有形成分画像とが同時に表示され、操作を受け付けることができる。このため、誤操作の発生を抑制することができる。
【０１０４】
[第２の実施形態]
上記第１の実施形態では、再分類の一例として、有形成分画像の分類変更を行う形態について説明した。本実施形態では、再分類とは異なる例として、有形成分画像の見本追加を行う形態について説明する。ここでいう「見本」とは、検査技師等の操作者が有形成分画像の分類変更を行う際に、参考となる有形成分画像を種類毎に集めた画像集（以下、「見本画像リスト」という。）を意味する。見本画像として、多数の検体の測定により取得した有形成分画像の中から、参考になる画像が選抜されている。操作者は、必要に応じて、この見本画像リストを見ながら、有形成分画像の分類変更を行うことがある。また、操作者は、有形成分画像の中に見本として適切な画像があれば、見本画像リストに追加することがある。しかし、検体別に保存された有形成分画像と見本画像リストとは別々に管理されており、有形成分画像の観察と、見本画像リストへの画像の追加とは別々に行われていた。本実施形態では、有形成分画像の観察や再分類の作業の一環として、現在観察している有形成分画像が見本として見本画像リストに追加される。
【０１０５】
記憶部１４には、有形成分画像及び有形成分画像の見本画像が記憶されている。表示制御部３２は、検出成分として分類された有形成分画像を、同一の分類の見本画像として追加する場合に、一例として、後述の図１３に示すように、検出成分の有形成分画像リスト、及び、見本画像リストを１つの画面に表示させる制御を行う。なお、上記第１の実施形態で説明した移動先の画像リストと見本画像リストとの混同を避けるために、例えば、どちらか一方の画像リストの背景に透かしを入れたり、背景色を変えたりして表示してもよい。
【０１０６】
本実施形態においては、有形成分画像の見本画像リストへの見本追加が行われる。この場合、表示制御部３２は、有形成分画像リストを表示させた状態で、見本画像の表示の指示を受け付け、更に、有形成分画像リスト及び見本画像リストを同時に表示させた状態で、有形成分画像リストから選択された有形成分画像を、見本画像リストに複写する制御を行う。つまり、この場合、有形成分画像リストから選択された有形成分画像は、有形成分画像リストに残したまま、見本画像リストに表示される。見本追加の場合には、複写元の分類（第１種類）と複写先の分類（第２種類）とは同一である。なお、具体的な画面例については後述する。
【０１０７】
次に、図１２を参照して、第２の実施形態に係る情報処理装置１０の作用を説明する。
【０１０８】
図１２は、第２の実施形態に係る画像分類処理プログラム１４Ａによる処理の流れの一例を示すフローチャートである。
【０１０９】
まず、上記第１の実施形態と同様に、情報処理装置１０が測定結果画面の表示の指示を受け付けると、以下に示す各ステップが実行される。
【０１１０】
図１２のステップ１２０では、表示制御部３２が、一例として、上述の図６に示す測定結果画面５０を表示させる制御を行う。
【０１１１】
ステップ１２２では、表示制御部３２が、ステップ１２０で表示された、上述の図６に示す測定結果画面５０から、操作者からの指示に従って、検出成分についての有形成分名を示す分類項目の選択を受け付けたか否かを判定する。分類項目の選択を受け付けたと判定した場合（肯定判定の場合）、ステップ１２４に移行し、分類項目の選択を受け付けていないと判定した場合（否定判定の場合）、ステップ１２２で待機となる。
【０１１２】
ステップ１２４では、表示制御部３２が、ステップ１２２で選択を受け付けた分類項目に応じて、一例として、上述の図７に示す有形成分画像リスト画面５１を表示させる制御を行う。
【０１１３】
ステップ１２６では、表示制御部３２が、ステップ１２４で表示された、上述の図７に示す有形成分画像リスト画面５１から、操作者からの指示に従って、見本画像の表示の指示を受け付けたか否かを判定する。見本画像の表示の指示を受け付けたと判定した場合（肯定判定の場合）、ステップ１２８に移行し、見本画像の表示の指示を受け付けていないと判定した場合（否定判定の場合）、ステップ１２６で待機となる。
【０１１４】
ステップ１２８では、表示制御部３２が、一例として、後述の図１３に示す見本作業画面６０を表示させる制御を行う。この見本作業画面６０では、検出成分の有形成分画像リスト、及び、複写先の見本画像リストが１つの画面に表示される。本実施形態では、第１種類と第２種類とは同一の分類であるため、見本追加の操作指示に応じて自動的に、図１３の上段に表示されている有形成分と同じ種類の見本画像が下段に表示される。
【０１１５】
ステップ１３０では、表示制御部３２が、操作者からの指示に従って、ステップ１２８で表示されている有形成分画像リストから、見本追加の対象とする、１つの有形成分画像の選択を受け付ける。
【０１１６】
ステップ１３２では、表示制御部３２が、ステップ１３０で選択された有形成分画像を有形成分画像リストに残したまま、ステップ１２８で表示されている見本画像リストに表示させる制御を行う。つまり、一例として、後述の図１４に示すように、選択された有形成分画像が見本画像リストに複写される。
【０１１７】
ステップ１３４では、表示制御部３２が、ステップ１２８で表示されている有形成分画像リストについての見本追加の確認が終了したか否かを判定する。見本追加の確認が終了していないと判定した場合（否定判定の場合）、ステップ１３０に戻り処理を繰り返す。一方、見本追加の確認が終了したと判定した場合（肯定判定の場合）、本画像分類処理プログラム１４Ａによる一連の処理を終了する。
【０１１８】
次に、図１３及び図１４を参照して、本実施形態に係る見本追加処理における具体的な画面例を説明する。実際には、第１項目ボタン群５１、第２項目ボタン群５２、及び操作ボタンＢ１〜Ｂ６を用いて操作が行われるが、簡略化のために、図１３及び図１４に示す例では、図７及び図８に示す第１項目ボタン群５１及び第２項目ボタン群５２の図示を省略する。
【０１１９】
上述の図７に示す有形成分画像リスト画面５１において、操作ボタンＢ５（見本追加ボタン）がクリック操作等により選択されると、一例として、図１３に示す見本作業画面６０が表示される。この見本作業画面６０では、検出成分の有形成分画像リストと、複写先の見本画像リストとが１つの画面に表示される。
【０１２０】
図１３及び図１４は、第２の実施形態に係る見本作業画面６０の一例を示す正面図である。
図１３に示すように、本実施形態に係る見本作業画面６０は、検出成分の有形成分画像リスト６０Ａ及び複写先の見本画像リスト６０Ｂを表示している。この見本作業画面６０は、表示部１６に表示される。
【０１２１】
図１３に示すように、本実施形態に係る見本作業画面６０では、第１項目ボタン群５２（図７参照）の扁平上皮細胞「ＳＱＥＣ」の項目ボタンが選択操作され、「ＳＱＥＣ」に含まれる有形成分画像の有形成分画像リスト６０Ａが上段に表示されている。また、操作ボタンＢ５が操作され、同一の項目である「ＳＱＥＣ」に含まれる有形成分画像の見本画像リスト６０Ｂが下段に表示されている。
【０１２２】
図１３において、操作者が、有形成分画像リスト６０Ａに含まれる有形成分画像６１を見本として追加するために、有形成分画像６１を選択して操作ボタンＢ３をクリック操作等により選択すると、図１４に示す見本作業画面６０に遷移する。なお、選択した有形成分画像６１を見本画像リスト６０Ｂにドラッグアンドドロップする操作を行ってもよい。
【０１２３】
上述した操作ボタンＢ３の操作が行われると、図１４に示すように、有形成分画像リスト６０Ａから選択された有形成分画像６１が有形成分画像リスト６０Ａに残されたまま、見本画像リスト６０Ｂに表示される。
【０１２４】
ここで、表示制御部３２は、上記第１の実施形態と同様に、有形成分画像リスト６０Ａから選択された有形成分画像６１を、見本画像リスト６０Ｂに強調して表示させることが望ましい。一例として、有形成分画像６１を見本画像リスト６０Ｂの先頭に表示させる。あるいは、有形成分画像６１に予め定められたマーク（一例として、星印や丸印等。）を付与するようにしてもよい。更には、有形成分画像６１の外枠を太くしたり、所定の色（一例として、赤色や青色等。）に変更したり、他の画像よりもサイズを大きくして表示してもよい。これにより、見本として複写した画像を容易に特定することができる。
【０１２５】
なお、本実施形態においては、上述の分類項目が、大項目及び大項目を細分化した小項目の少なくとも一方に仕分けられていてもよい。検出成分の分類を選択する際に、大項目が選択された場合、有形成分画像は、大項目に含まれる有形成分画像の画像リストに表示され、小項目が選択された場合、有形成分画像は、小項目に含まれる有形成分画像の画像リストに表示される。
【０１２６】
また、本実施形態においても、上記第１の実施形態と同様に、分類毎に対応する項目を色分けして表示させる制御を行うようにしてもよい。また、有形成分画像リストの各有形成分画像に対して、複数の異なる焦点位置で撮影して得られた複数の画像を切り替えて表示させる制御を行うようにしてもよい。また、有形成分画像リストの有形成分画像を、上述の適合度に従って適合順あるいは不適合順に並べて表示させる制御を行うようにしてもよい。また、分類毎に有形成分画像の拡大率を設定する制御を更に行うようにしてもよい。また、分類毎に有形成分画像の輝度及びコントラスト比の少なくとも一方を設定する制御を行うようにしてもよい。
【０１２７】
以上説明したように本実施形態によれば、フロー方式による画像撮影により所定の分類毎に分類された有形成分画像を観察した状態で、選択した画像を見本として見本画像リストに追加することができる。このため、誤操作の発生を抑制することができる。
【０１２８】
以上、実施形態に係る情報処理装置を例示して説明した。実施形態は、情報処理装置が備える各部の機能をコンピュータに実行させるためのプログラムの形態としてもよい。実施形態は、このプログラムを記憶したコンピュータが読み取り可能な記憶媒体の形態としてもよい。
【０１２９】
その他、上記実施形態で説明した情報処理装置の構成は、一例であり、主旨を逸脱しない範囲内において状況に応じて変更してもよい。有形成分画像の表示は、上記の実施形態には限定されず、例えば左右に横並びで表示してもよい。各ボタンの表示位置も適宜変更可能である。
【０１３０】
また、上記実施形態で説明したプログラムの処理の流れも、一例であり、主旨を逸脱しない範囲内において不要なステップを削除したり、新たなステップを追加したり、処理順序を入れ替えたりしてもよい。
【０１３１】
また、上記実施形態では、プログラムを実行することにより、実施形態に係る処理がコンピュータを利用してソフトウェア構成により実現される場合について説明したが、これに限らない。実施形態は、例えば、ハードウェア構成や、ハードウェア構成とソフトウェア構成との組み合わせによって実現してもよい。
【符号の説明】
【０１３２】
１０   情報処理装置
１２   制御部
１２Ａ ＣＰＵ
１２Ｂ ＲＯＭ
１２Ｃ ＲＡＭ
１２Ｄ Ｉ／Ｏ
１４   記憶部
１４Ａ 画像分類処理プログラム
１４Ｂ 有形成分画像群
１６   表示部
１８   操作部
２０   通信部
３０   分類部
３２   表示制御部
４０   フローセル
４２   検体取入口
４４   シース取入口
４６   排出口
５０   測定結果画面
５０Ａ 有形成分名
５０Ｂ 有形成分ボタン
５０Ｃ マーク
５１   有形成分画像リスト画面
５２   第１項目ボタン群
５３   第２項目ボタン群
５４、５６、５８、５９  再分類作業画面
５４Ａ、５６Ａ、５８Ａ、５９Ａ  第１画像リスト
５４Ｂ、５６Ｂ  第２画像リスト
５５、５７Ａ、５７Ｂ、５７Ｃ、６１  有形成分画像
６０   見本作業画面
６０Ａ 有形成分画像リスト
６０Ｂ 見本画像リスト
７０   測定システム
７２   筐体
７４   カメラ
７６   光源
７８   第１供給装置
８６   第２供給装置
【図１】
2020085535.tif 000003
【図２】
2020085535.tif 000004
【図３】
2020085535.tif 000005
【図４】
2020085535.tif 000006
【図５】
2020085535.tif 000007
【図６】
2020085535.tif 000008
【図７】
2020085535.tif 000009
【図８】
2020085535.tif 000010
【図９】
2020085535.tif 000011
【図１０】
2020085535.tif 000012
【図１１】
2020085535.tif 000013
【図１２】
2020085535.tif 000014
【図１３】
2020085535.tif 000015
【図１４】
2020085535.tif 000016